(57)【要約】      （修正有）【課題】目地プレート上を車両等が走行しても、目地プレートを確実に支持することができるとともに、目地プレートの左右方向への移動の荷重が加わっても損傷することなく、確実に支持できる、構造が簡単で、容易に実施することができる床用目地装置を提供する。【解決手段】左右の床躯体３、３Ａの一方の床面に、反目地部側が傾斜面に形成された目地プレートスライド支持凹部５と、対向する他方の床躯体の目地部側の床面に形成された目地プレート支持凹部７と、この目地プレート支持凹部の目地部２側に他方の床躯体の床面より低い位置に上面が位置する、他方の床躯体と一体成形された目地プレート支持突片８と、後端が目地プレート支持凹部７に支持され、先端が目地プレートスライド支持凹部５に支持されて目地部２を覆う目地プレート１０とで床用目地装置を構成している。【選択図】図２
2015055113.tif 000002
【特許請求の範囲】
【請求項１】
目地部を介して設けられた左右の床躯体の一方の床躯体の目地部側の床面に、反目地部側が傾斜面に形成された目地プレートスライド支持凹部と、この目地プレートスライド支持凹部と対向する他方の床躯体の目地部側の床面に形成された目地プレート支持凹部と、この目地プレート支持凹部の目地部側に前記他方の床躯体の床面より低い位置に上面が位置する、該他方の床躯体と一体成形された目地プレート支持突片あるいは他方の床躯体の目地部側に固定された他方の床躯体の床面より低い位置に上面が位置する目地プレート支持体と、後端が目地プレート支持凹部に支持され、先端が前記目地プレートスライド支持凹部に支持されて前記目地部を覆う後端底面に、前記目地プレート支持突片あるいは目地プレート支持体と当接する係止片を有する目地プレートとからなることを特徴とする床用目地装置。
【請求項２】
一方の床躯体よりも他方の床躯体が高くなっていることを特徴とする請求項１記載の床用目地装置。
【請求項３】
他方の床躯体の目地部側の床躯体あるいは目地プレート支持体と目地プレートには目地プレートの係止片が目地プレート支持突片あるいは目地プレート支持体より外れるのを阻止するストッパー機構が設けられていることを特徴とする請求項１または請求項２いずれかに記載の床用目地装置。
【請求項４】
目地プレート支持体は他方の床躯体の目地部側に固定された上部が目地プレート支持凹部内へ位置する固定板と、この固定板の上部に固定された目地プレート支持凹部内に位置する棒部材と、前記固定板に形成したストッパー機構のストッパー軸が挿入される挿入孔が形成されたホルダーとで構成されていることを特徴とする請求項１ないし請求項３いずれかに記載の床用目地装置。
【発明の詳細な説明】
【技術分野】
【０００１】
本発明は目地部を介して設けられた左右の床躯体間の目地部を覆う床用目地装置に関する。
【背景技術】
【０００２】
従来、この種の床用目地装置は一方の床躯体の目地部側に、反目地部側に傾斜面が形成された目地プレートスライド支持凹部と、この目地プレートスライド支持凹部と対向する他方の床躯体の目地部側に形成した目地プレート支持凹部と、この目地プレート支持凹部に後端部が、該目地プレート支持凹部に固定された係合ピンに係止され、先端部が前記目地プレートスライド支持凹部を覆うように取付けられた目地プレートとで構成されている。
【０００３】
しかしながら、目地プレート上を車両等が走行すると、目地プレートを先端部方向へ移動させる力が働き、係合ピンに大きな荷重がかかり、損傷しやすいという欠点があった。
【先行技術文献】
【特許文献】
【０００４】
【特許文献１】特許第４９６９５５１号公報
【特許文献２】特許第４９０７４７４号公報
【発明の概要】
【発明が解決しようとする課題】
【０００５】
本発明は以上のような従来の欠点に鑑み、目地プレート上を車両等が走行しても、目地プレートを確実に支持することができるとともに、該目地プレートの左右方向への移動の荷重が加わっても損傷することなく、確実に支持できる、構造が簡単で、容易に実施することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の一方の床躯体の目地部側の床面に、反目地部側が傾斜面に形成された目地プレートスライド支持凹部と、この目地プレートスライド支持凹部と対向する他方の床躯体の目地部側の床面に形成された目地プレート支持凹部と、この目地プレート支持凹部の目地部側に前記他方の床躯体の床面より低い位置に上面が位置する、該他方の床躯体と一体成形された目地プレート支持突片あるいは他方の床躯体の目地部側に固定された他方の床躯体の床面より低い位置に上面が位置する目地プレート支持体と、後端が目地プレート支持凹部に支持され、先端が前記目地プレートスライド支持凹部に支持されて前記目地部を覆う後端底面に、前記目地プレート支持突片あるいは目地プレート支持体と当接する係止片を有する目地プレートとで床用目地装置を構成している。
【発明の効果】
【０００８】
以上の説明から明らかなように、本発明にあっては次に列挙する効果が得られる。
（１）請求項１により、目地プレートに左右方向に移動する荷重が加わっても、目地プレート支持凹部の壁面、目地プレート支持突片あるいは目地プレート支持体と目地プレートの係止片とが当接して、その移動荷重を吸収することができる。
したがって、従来のように目地プレートと他方の床躯体の目地プレート支持凹部に固定されている係合ピンが損傷したりするのを確実に防止でき、耐久性の向上を図ることができる。
（２）前記（１）により、目地プレートの後端底面に係止片を形成するとともに、目地プレート支持凹部の目地部側先端部に目地プレート支持突片あるいは目地プレート支持体を設けるだけでよいので、容易に製造したり、設置することができる。
（３）前記（１）により、目地プレート支持凹部に目地プレート支持突片を形成することにより、目地プレートの係止片を目地プレート支持凹部の側壁と目地プレート支持突片との間に挿入するだけで取付けることができ、楽に設置することができる。
（４）前記（１）によって、従来のように目地プレートの後端両側部に係合ピン係合ボックスを設けなくてもよいので、目地プレートを容易に製造することができる。
（５）請求項２も前記（１）〜（４）と同様な効果が得られる。
（６）請求項３も前記（１）〜（４）と同様な効果が得られるとともに、ストッパー機構によって、目地プレートが目地プレート支持凹部より脱落するのを確実に防止することができる。
（７）請求項４も前記（１）〜（４）と同様な効果が得られるとともに、ストッパー機構を容易に設置することができる。 
【図面の簡単な説明】
【０００９】
【図１】本発明を実施するための第１の形態の平面図。
【図２】図１の２−２線に沿う断面図。
【図３】本発明を実施するための第１の形態の目地プレートを外した状態の平面図。
【図４】本発明を実施するための第１の形態の目地プレートの説明図。
【図５】本発明を実施するための第１の形態の目地プレートが先端部方向へ移動するような荷重がかかる状態の説明図。
【図６】本発明を実施するための第１の形態の目地部が狭くなるように揺れ動いた状態の説明図。
【図７】本発明を実施するための第２の形態の平面図。
【図８】図７の８−８線に沿う断面図。
【図９】本発明を実施するための第２の形態の目地プレートを外した状態の平面図。
【図１０】本発明を実施するための第２の形態の目地プレート支持体の説明図。
【図１１】本発明を実施するための第３の形態の平面図。
【図１２】図１１の１２−１２線に沿う断面図。
【図１３】本発明を実施するための第４の形態の平面図。
【図１４】図１３の１４−１４線に沿う断面図。
【図１５】本発明を実施するための第５の形態の平面図。
【図１６】図１５の１６−１６線に沿う断面図。
【図１７】図１５の１７−１７線に沿う断面図。
【図１８】本発明を実施するための第6の形態の平面図。
【図１９】図１８の１９−１９線に沿う断面図。
【図２０】本発明を実施するための第6の形態の目地プレートの説明図。
【図２１】本発明を実施するための第７の形態の平面図。
【図２２】図２１の２２−２２線に沿う断面図。
【図２３】図２１の２３−２３線に沿う断面図。
【図２４】本発明を実施するための第８の形態の平面図。
【図２５】図２４の２５−２５線に沿う断面図。
【図２６】図２４の２６−２６線に沿う断面図。
【発明を実施するための形態】
【００１０】
以下、図面に示す本発明を実施するための形態により、本発明を詳細に説明する。
【００１１】
図１ないし図６に示す本発明を実施するための第１の形態において、１は目地部２を介して設けられた高さの異なる左右の床躯体３、３Ａ間を覆う本発明の床用目地装置で、この床用目地装置１は前記左右の床躯体３、３Ａの低い方の一方の床躯体３Ａの目地部側の床面３ａに、反目地部側が傾斜面４に形成された目地プレートスライド支持凹部５と、この目地プレートスライド支持凹部５を必要に応じて覆う金属板で形成された下地レール６と、前記目地プレートスライド支持凹部５と対向する高い方の他方の床躯体３の目地部側の床面３ａに形成された目地プレート支持凹部７と、この目地プレート支持凹部７の目地部側に前記他方の床躯体３の床面３ａより低い位置に上面が位置する、該他方の床躯体３と一体成形された目地プレート支持突片８と、この目地プレート支持突片８および前記目地プレート支持凹部７を必要に応じて覆う金属板で形成されたカバー９と、後端が前記目地プレート支持凹部７あるいは、該部に位置するカバー９に支持され、先端が前記目地プレートスライド支持凹部５あるいは下地レール６を覆うように支持されて前記目地部２を覆う、後端底面１０ａに係止片１１が一体形成された目地プレート１０と、この目地プレート１０の後端寄りの両側底面に固定されたストッパー軸１２、１２、このストッパー軸１２、１２が挿入される挿入孔１３、１３が形成され、前記他方の床躯体３の目地部部位に複数本のアンカーボルト１４で固定されるホルダー１５、１５、このホルダー１５、１５の挿入孔１４、１４を通過した、前記ストッパー軸１２、１２の先端部に固定されたストッパー軸１６、１６とからなるストッパー機構１７、１７とで構成されている。
【００１２】
前記目地プレート１０は後端の底面に係止片１１が形成できる突起部１８を有するように金属材で四角形状の浅皿状に形成された目地プレート本体１９と、この目地プレート本体１９内に必要に応じて補強部材が設けられた後に充填されたモルタルやコンクリート２０と、このモルタルやコンクリート２０の上面に設置されたタイルやレンガ等の床化粧材２１と、前記目地プレート本体１９の先端上部にヒンジ部材２２を介して取付けられたカバープレート２３とで構成されている。
【００１３】
上記構成の床用目地装置１は、通常時には図１および図２に示すように左右の床躯体３、３Ａ間の目地部２を目地プレート１０で覆っており、上部を車両２４が走行することができる。
【００１４】
この車両２４の走行時に目地プレート１０に、該目地プレート１０の先端部方向へ移動する荷重が加わる場合、目地プレート１０の係止片１１が目地プレート支持凹部７の目地部２寄りの目地プレート支持突片８と当接して、その荷重を支持して移動を阻止することができる。
【００１５】
この時、目地プレート本体１９と一体形成された係止片１１と他方の床躯体３と一体形成された目地プレート支持突片８との当接であるため、十分な強度が得られ、損傷することがない。
【００１６】
地震で目地部２が狭くなるように左右の床躯体３、３Ａが揺れ動いた場合、目地プレート１０は他方の床躯体３によって、該目地プレート１０の先端部が図６に示すように傾斜面４に沿って一方の床躯体３Ａの床面３ａ上へ突出するが、カバープレート２３によって、目地プレート１０の先端部に隙間が生じるのが阻止され、安全に使用できる。
【００１７】
また、目地部２が広くなるように左右の床躯体３、３Ａが揺れ動くと、目地プレート１０の後端部の係止片１１が目地プレート支持突片８と当接して、該目地プレート支持突片８と一体になって移動するので、目地プレート１０の先端部は目地プレートスライド支持凹部５あるいは下地レール６上をスライド移動して、その揺れ動きを吸収することができる。
なお、地震での揺れ動きが停止すると、元の位置へ自動的に戻る。
【００１８】
[発明を実施するための異なる形態]
次に図７ないし図２６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図７ないし図１０に示す本発明を実施するための第２の形態において、前記本発明を実施するための第１の形態と主に異なる点は、他方の床躯体３の目地部側に固定された、該他方の床躯体３の床面３ａより低い位置に上面が位置する目地プレート支持体２５を用いた点で、このような目地プレート支持体２５を用いて構成した床用目地装置１Ａにしても、前記本発明を実施するための第１の形態と同様な作用効果が得られる。
【００２０】
なお、前記目地プレート支持体２５は図１０に示すように、他方の床躯体３の目地部側に複数本のタッピングビス２６等で固定された上部が目地プレート支持凹部７内に位置する固定板２７と、この固定板２７の上部に溶接等で固定された前記目地プレート支持凹部７の底面に当接する位置決めプレート２８と、この位置決めプレート２８と前記固定板２７の上部とに溶接等で固定された角柱や丸柱等の棒部材２９と、前記固定板２７に溶接等で固定した、前記ストッパー機構１７のストッパー軸１６、１６が挿入される挿入孔３０、３０が形成されたホルダー３１、３１とで構成されている。
【００２１】
図１１および図１２に示す本発明を実施するための第３の形態において、前記本発明を実施するための第１の形態と主に異なる点は、同一な床面３ａ、３ａとなる左右の床躯体３、３に設置した点で、このような左右の床躯体３、３を用いて構成した床用目地装置１Ｂにしても、前記本発明を実施するための第１の形態と同様な作用効果が得られる。
【００２２】
図１３および図１４に示す本発明を実施するための第４の形態において、前記本発明を実施するための第２の形態と主に異なる点は、同一な床面３ａ、３ａとなる左右の床躯体３、３に設置した点で、このような左右の床躯体３、３を用いて構成した床用目地装置１Ｃにしても、前記本発明を実施するための第２の形態と同様な作用効果が得られる。
【００２３】
図１５ないし図１７に示す本発明を実施するための第５の形態において、前記本発明を実施するための第２の形態と主に異なる点は、位置決めプレートや角柱や丸柱等の棒部材を使用しない固定板２７Ａを用いた目地プレート支持体２５Ａを使用するとともに、この目地プレート支持体２５Ａの固定板２７Ａの目地プレート支持凹部７に位置する部位に所定間隔で上下方向の長孔３２を複数個形成し、この複数個の長孔３２に上下方向に遊びを有するように貫通する外れ防止ピン３３を目地プレート１０の後端の係止片１１に固定した点で、このように構成した床用目地装置１Ｄにしても、前記本発明を実施するための第２の形態と同様な作用効果が得られる。
【００２４】
図１８ないし図２０に示す本発明を実施するための第６の形態において、前記本発明を実施するための第３の形態と主に異なる点は、内側面を傾斜面３４に形成した係止片１１Ａおよび目地プレート支持突片８の目地部側の面と接触する三角形状のリブ３５を形成した目地プレート１０Ａを用いた点で、このような目地プレート１０Ａを用いた床用目地装置１Ｅにしても、前記本発明を実施するための第３の形態と同様な作用効果が得られる。
【００２５】
なお、本発明のこの第６の実施の形態は前記第１の実施の形態と同様に左右の床躯体の高さが異なる部分にでも同様に使用することができる。
【００２６】
図２１ないし図２３に示す本発明を実施するための第７の形態において、前記本発明を実施するための第５の形態と主に異なる点は、内側面を傾斜面３４に形成した係止片１１Ａおよび固定板２７Ｂの上部に形成して係合溝３６、３６と係合して前後方向に移動するのを防止することができる三角形形状のリブ３７、３７が形成した目地プレート１０Ｂを用いた点で、このような目地プレート１０Ｂを用いた床用目地装置１Ｆにしても、前記本発明を実施するための第５の形態と同様な作用効果が得られる。
【００２７】
なお、本発明のこの第７の実施の形態は前記第１の実施の形態と同様に左右の床躯体の高さが異なる部分にでも同様に使用することができる。
【００２８】
図２４ないし図２６に示す本発明を実施するための第８の形態において、前記本発明を実施するための第６の形態と主に異なる点は、目地プレート支持突片８の目地部側に上面が目地部側に傾斜し、目地プレート１０Ａの四角形状のリブ３５Ａと係合する係合溝３６、３６が形成された位置決め板３８を分数本のタッピングビス２６で固定した点で、このように構成した、床用目地装置１Ｇにしても、前記本発明を実施するための第６の形態と同様な作用効果が得られるとともに、目地プレート１０Ａの前後方向の移動を阻止することができる。
【００２９】
なお、本発明のこの第８の実施の形態は前記第１の実施の形態と同様に左右の床躯体の高さが異なる部分にでも同様に使用することができる。
前記本発明を実施するための各形態ではストッパー機構１７を用いたものにつき説明したが、本発明はこれに限らず、目地プレート１０がモルタルやコンクリートを用いた重量のあるものであるので、ストッパー機構を用いなくても安全に使用することができる。  
【産業上の利用可能性】
【００３０】
本発明は目地部を介して設けた左右の床躯体間を接続する床用目地装置を製造する産業で利用される。
【符号の説明】
【００３１】
１、１Ａ、１Ｂ、１Ｃ、１Ｄ、１Ｅ、１Ｆ、１Ｇ：床用目地装置、
２：目地部、        ３、３Ａ：床躯体、
４：傾斜面、
５：目地プレートスライド支持凹部、
６：下地レール、      ７：目地プレート支持凹部、
８：目地プレート支持突片、  ９：カバー、
１０、１０Ａ、１０Ｂ：目地プレート、
１１、１１Ａ：係止片、
１２：ストッパー軸、    １３：挿入孔、
１４：アンカーボルト、    １５：ホルダー、
１６：ストッパー軸、    １７：ストッパー機構、
１８：突起部、      １９：目地プレート本体、
２０：モルタルやコンクリート、２１：床化粧材、
２２：ヒンジ部材、      ２３：カバープレート、
２４：車両、        ２５、２５Ａ：目地プレート支持体、
２６：タッピングビス、    ２７、２７Ａ、２７Ｂ：固定板、
２８：位置決めプレート、    ２９：棒部材、
３０：挿入孔、      ３１：ホルダー、３２：長孔、
３３：外れ防止ピン、          ３４：傾斜面、
３５、３５Ａ：リブ、          ３６：係合溝、
３７：リブ、                  ３８：位置決め板。
【図１】
2015055113.tif 000003
【図２】
2015055113.tif 000004
【図３】
2015055113.tif 000005
【図４】
2015055113.tif 000006
【図５】
2015055113.tif 000007
【図６】
2015055113.tif 000008
【図７】
2015055113.tif 000009
【図８】
2015055113.tif 000010
【図９】
2015055113.tif 000011
【図１０】
2015055113.tif 000012
【図１１】
2015055113.tif 000013
【図１２】
2015055113.tif 000014
【図１３】
2015055113.tif 000015
【図１４】
2015055113.tif 000016
【図１５】
2015055113.tif 000017
【図１６】
2015055113.tif 000018
【図１７】
2015055113.tif 000019
【図１８】
2015055113.tif 000020
【図１９】
2015055113.tif 000021
【図２０】
2015055113.tif 000022
【図２１】
2015055113.tif 000023
【図２２】
2015055113.tif 000024
【図２３】
2015055113.tif 000025
【図２４】
2015055113.tif 000026
【図２５】
2015055113.tif 000027
【図２６】
2015055113.tif 000028